【手続補正書】
【提出日】平成23年2月15日(2011.2.15)
【手続補正１】
【補正対象書類名】特許請求の範囲
【補正対象項目名】全文
【補正方法】変更
【補正の内容】
【特許請求の範囲】
【請求項１】
画像センサ、処理回路、外部処理装置、処理装置、又はコンピュータプロセッサの少なくとも１つであってこれらの任意の組み合わせを含むものにおいて行われるデジタルカラー画像（１００）の解像度を低減する方法であって、
前記デジタルカラー画像は少なくとも３つの異なる色のカラーマスク（１０２）内に配列されたピクセル（１０１）を含み、前記ピクセルは第１ピクセル（Ｒ）、第２ピクセル（Ｇ）、第３ピクセル（ｇ）、及び第４ピクセル（Ｂ）を含み、
前記方法は、
・前記カラーマスク（１０２）を使ってデジタルカラー画像を記録することと、
・第１正方形（ＳＲ）のアウトラインであるｎ×ｎの第１ピクセル（Ｒ）を選択し、それら選択されたｎ×ｎピクセルの値を用いて第１マクロピクセル（２０２、ＲＲ）の値を生成することと、
・前記第１正方形（ＳＲ）に対して４５度回転され水平にシフトされた第２正方形（ＳＧ）のアウトラインであるｎ×ｎの第２ピクセル（Ｇ）を選択し、それら選択されたｎ×ｎピクセルの値を用いて第２マクロピクセル（２０２、ＧＧ）の値を生成することと、
・前記第１正方形（ＳＲ）に対して４５度回転され垂直にシフトされた第３正方形（Ｓｇ）のアウトラインであるｎ×ｎの第３ピクセル（ｇ）を選択し、それら選択されたｎ×ｎピクセルの値を用いて第３マクロピクセル（２０２、ｇｇ）の値を生成することと、
・前記第１正方形（ＳＲ）に対して同一方向を向き対角線状にシフトされた第４正方形（ＳＢ）のアウトラインであるｎ×ｎの第４ピクセル（Ｂ）から、０より大きくｎ×ｎ以下であるＭのピクセルを選択し、前記Ｍのピクセルの値を用いて第４マクロピクセル（２０２、ＢＢ）の値を生成することと
を含み、
前記第１、第２、及び第３マクロピクセルは各々、前記マクロピクセル（２０２）の値を生成するのに用いたピクセルの相対位置によって決まる光学的中心（２０１、ＣＲ、ＣＧ、Ｃｇ）を有し、
前記第１、第２、及び第３マクロピクセルの値を生成するのに用いたピクセルは、前記第１、第２、第３マクロピクセル各々の前記光学的中心（２０１）の位置が前記第１、第２、第３マクロピクセル各々の内部で同一の位置となるように選択されて、これらの光学的中心が均一グリッド（ＷＧ）を形成し、
前記ｎは１より大きい整数値である方法。
【請求項２】
前記選択されたＭのピクセルと前記結果的な光学的中心（ＣＢ，２０１）とは、前記均一グリッド（ＷＧ）に対して所定距離（Ｄ）ずれており、
前記距離（Ｄ）は、Ｍと前記第４正方形（ＳＢ）に対する前記Ｍのピクセルの位置との両方に依存し、
・ｎ×ｎが偶数でない整数のとき、Ｍ＝ｎ×ｎはＤ＝０という結果になり、
・ｎ×ｎが偶数の整数のとき、Ｍのいくつかの値について、Ｍ＝ｎ×ｎはＤ＞０及びＭ＜ｎ×ｎはＤ＝０という結果になる、請求項１の方法。
【請求項３】
前記距離（Ｄ）は、Ｍと前記第４正方形（ＳＢ）に対する前記Ｍのピクセルの位置との両方に依存し、
・ｎ×ｎ＝４のとき、Ｍ＝１はＤ＝０及びＭ＞１はＤ＞０という結果になる、請求項２の方法。
【請求項４】
前記距離（Ｄ）は、Ｍと前記第４正方形（ＳＢ）に対する前記Ｍのピクセルの位置との両方に依存し、
・ｎ×ｎ＝１６のとき、Ｍ＝１及びＭ＝９はＤ＝０という結果になる、請求項２の方法。
【請求項５】
前記第２正方形（ＳＧ）は前記第１正方形（ＳＲ）と重なり、
前記第３正方形（Ｓｇ）は前記第１正方形（ＳＲ）と重なり、
前記第４正方形（ＳＢ）は前記第１、第２、及び第３正方形の１つ以上と重なる、請求項１の方法。
【請求項６】
ｎ×ｎ＝４かつＭ＝１であって、
前記方法は、
・１つの第４ピクセル（Ｂ）を選択し、その１つの第４ピクセルの値を用いて第４マクロピクセル（ＢＢ）の値を生成すること
を含み、
前記選択されたピクセルと前記結果的な光学的中心（ＣＢ）とは、前記均一グリッド（ＷＧ）に対して距離（Ｄ）が０で、残りの３つの第４ピクセル（Ｂ）は無視される、請求項１の方法。
【請求項７】
ｎ×ｎ＝４かつＭ＝４であって、
前記方法は、
・４つの第４ピクセル（Ｂ）を選択し、その４つの第４ピクセルの値を用いて前記第４マクロピクセル（ＢＢ）の値を生成すること
を含み、
前記選択されたピクセルは、前記均一グリッド（ＷＧ）に対して所定距離（Ｄ）を有する光学的中心（ＣＢ）を提供する、請求項１の方法。
【請求項８】
ｎ×ｎ＝４かつＭ＝３であって、
前記方法は、
・前記均一グリッド（ＷＧ）に対して距離（Ｄ）が０の１つの第４ピクセル（Ｂ）を選択し、前記最初に選択した１つの第４ピクセルに最も近い２つの第４ピクセル（Ｂ）を選択し、前記選択した３つの第４ピクセルを用いて前記第４マクロピクセル（ＢＢ）の値を生成すること
を含み、
前記選択されたピクセルは前記均一グリッド（ＷＧ）に対して低減された距離（Ｄ）を有する光学的中心（ＣＢ）を提供し、残り１つの第４ピクセルは無視される、請求項１の方法。
【請求項９】
画像センサ、処理回路、外部処理装置、処理装置、又はコンピュータプロセッサの少なくとも１つであってこれらの任意の組み合わせを含むものにおいて行われるデジタルカラー画像の解像度を水平と垂直の両方向にファクター２で低減する方法であって、
前記デジタルカラー画像は１６のピクセルの複数セットに配置され、
前記セットの各々は、４つの第１ピクセル（Ｒ）、４つの第２ピクセル（Ｇ）、４つの第３ピクセル（ｇ）、及び４つの第４ピクセル（Ｂ）を含み、
前記各セットは、第１マクロピクセル（ＲＲ）、第２マクロピクセル（ＧＧ）、第３マクロピクセル（ｇｇ）、及び第４マクロピクセル（ＢＢ）を含む４つのマクロピクセルの値を生成するピクセルの集まりを構成し、
前記方法は、
カラーマスクを使ってデジタルカラー画像を記録することと、
１６ピクセルの各セットについて、
・４つの第１ピクセル（Ｒ１、Ｒ２，Ｒ３，Ｒ４）を選択し、それら４つのピクセルの値を用いて第１マクロピクセル（２０２、ＲＲ）の値を生成することと、
・４つの第２ピクセル（Ｇ１、Ｇ２、Ｇ３、Ｇ４）を選択し、それら４つのピクセルの値を用いて第２マクロピクセル（２０２、ＧＧ）の値を生成することと、
・４つの第３ピクセル（ｇ１、ｇ２、ｇ３、ｇ４）を選択し、それら４つのピクセルの値を用いて第３マクロピクセル（２０２、ｇｇ）の値を生成することと、
を含み、
前記第１、第２、及び第３マクロピクセルは各々、前記マクロピクセル（２０２）の値を生成するのに用いたピクセルの相対位置によって決まる光学的中心（２０１）を有し、
前記第１、第２、及び第３マクロピクセル（２０２）の値を生成するのに用いたピクセルは、前記第１、第２、及び第３マクロピクセル各々の光学的中心（２０１）の位置が前記第１、第２、及び第３マクロピクセル各々の内部で同一の位置となるように選択されて、これらの光学的中心が均一グリッド（ＷＧ）を形成し、
第４マクロピクセル（ＢＢ）の値を、
・１つの第４ピクセル（Ｂ１）を選択し、その１つの第４ピクセルの値を用いて前記第４マクロピクセル（ＢＢ）の値を生成することであって、前記選択されたピクセルは前記均一グリッド（ＷＧ）に対して距離（Ｄ）が０の光学的中心（ＣＢ）を提供し、残りの３つの第４ピクセル（Ｂ２−Ｂ４）は無視することと、
・４つの第４ピクセル（Ｂ１−Ｂ４）を選択し、その４つの第４ピクセルの値を用いて前記第４マクロピクセル（ＢＢ）の値を生成することであって、前記選択されたピクセルは前記均一グリッド（ＷＧ）に対して所定距離（Ｄ）の光学的中心（ＣＢ）を提供することと、
・前記均一グリッド（ＷＧ）に対して距離（Ｄ）が０の１つの第４ピクセル（Ｂ４）を選択し、前記最初に選択した１つの第４ピクセル（Ｂ４）に最も近い２つの第４ピクセル（Ｂ２、Ｂ３）を選択し、前記選択した３つの第４ピクセルを用いて前記第４マクロピクセル（ＢＢ）の値を生成することであって、前記選択されたピクセルは前記均一グリッド（ＷＧ）に対して低減された距離（Ｄ）を有する光学的中心（ＣＢ）を提供し、残り１つの第４ピクセルは無視することと、
のいずれかを使って生成することを含む方法。
【請求項１０】
前記カラーマスクは、１つの赤ピクセル（Ｒ）、２つの緑ピクセル（ｇ、Ｇ），及び１つの青ピクセル（Ｂ）を含むＢａｙｅｒマスクである、請求項１又は９の方法。
【請求項１１】
前記第１ピクセルは赤ピクセル（Ｒ）、前記第２ピクセルは緑ピクセル（Ｇ）、前記第３ピクセルは緑ピクセル（ｇ）、前記第４ピクセルは青ピクセル（Ｂ）である、請求項１又は９の方法。
【請求項１２】
前記第１、第２、第３、及び第４ピクセル（Ｒ、Ｇ、ｇ、Ｂ）各々の前記選択されたピクセルの値が加算されて、前記第１、第２、第３、及び第４マクロピクセル（ＲＲ、ＧＧ、ｇｇ、ＢＢ）各々の値を生成する、請求項１又は９の方法。
【請求項１３】
前記第１、第２、第３、及び第４ピクセル（Ｒ、Ｇ、ｇ、Ｂ）各々の選択されたピクセルの値が平均されて、前記第１、第２、第３、及び第４マクロピクセル（ＲＲ、ＧＧ、ｇｇ、ＢＢ）各々の値を生成する、請求項１又は９の方法。
【請求項１４】
画像センサ（１２１３）、処理回路（１２１５）、外部処理装置（１２１１）の１つ以上に実装される、少なくとも３つの異なる色のカラーマスク（１０２）内に配列されたピクセル（１０１）を含むデジタルカラー画像（１００）の解像度を低減するように構成されたシステム（１２１０）であって、
前記ピクセルは第１ピクセル（Ｒ）、第２ピクセル（Ｇ）、第３ピクセル（ｇ）、及び第４ピクセル（Ｂ）を含み、
前記システムは、
・第１正方形（ＳＲ）のアウトラインであるｎ×ｎの第１ピクセル（Ｒ）を選択し、それら選択されたｎ×ｎピクセルの値を用いて第１マクロピクセル（２０２、ＲＲ）の値を生成することと、
・前記第１正方形（ＳＲ）に対して４５度回転され水平にシフトされた第２正方形（ＳＧ）のアウトラインであるｎ×ｎの第２ピクセル（Ｇ）を選択し、それら選択されたｎ×ｎピクセルの値を用いて第２マクロピクセル（２０２、ＧＧ）の値を生成することと、
・前記第１正方形（ＳＲ）に対して４５度回転され垂直にシフトされた第３正方形（Ｓｇ）のアウトラインであるｎ×ｎの第３ピクセル（ｇ）を選択し、それら選択されたｎ×ｎピクセルの値を用いて第３マクロピクセル（２０２、ｇｇ）の値を生成することと
を行う選択手段（１２２０）を含み、
前記第１、第２、及び第３マクロピクセルは各々、前記マクロピクセル（２０２）の値を生成するのに用いたピクセルの相対位置によって決まる光学的中心（２０１、ＣＲ、ＣＧ、Ｃｇ）を有し、
前記第１、第２、第３マクロピクセルの値を生成するのに用いたピクセルは、前記第１、第２、及び第３マクロピクセル（２０２）各々の前記光学的中心（２０１）の位置が前記第１、第２、及び第３マクロピクセル各々の内部で同一の位置となるように選択されて、これらの光学的中心が均一グリッド（ＷＧ）を形成し、
前記システム（１２１０）は更に、
・第１正方形（ＳＲ）に対して同一方向を向き対角線状にシフトされた第４正方形（ＳＢ）のアウトラインであるｎ×ｎの第４ピクセル（Ｂ）から、０より大きくｎ×ｎ以下であるＭのピクセルを選択し、前記Ｍのピクセルの値を用いて第４マクロピクセル（ＢＢ）の値を生成する選択手段（１２２０）を含むシステム。
【請求項１５】
カラーマスク（１０２）を使って記録されたデジタルカラー画像（１００）の解像度を低減することができるコンピュータプログラムであって、
前記デジタルカラー画像（１００）は少なくとも３つの異なる色のカラーマスク内に配列されたピクセル（１０１）を含み、前記ピクセルは第１ピクセル（Ｒ）、第２ピクセル（Ｇ）、第３ピクセル（ｇ）、及び第４ピクセル（Ｂ）を含み、
請求項１又は請求項９の方法を実施するように構成されるコンピュータプログラム。
【請求項１６】
デジタルカラー画像（１００）の解像度を低減するように構成されている電子チップデバイス（１２１３、１２１５）を含むカメラ（１２１２）又はシステム（１２１０）であって、
前記デジタルカラー画像は少なくとも３つの異なる色のカラーマスク（１０２）内に配列されたピクセル（１０１）を含み、前記ピクセルは第１ピクセル（Ｒ）、第２ピクセル（Ｇ）、第３ピクセル（ｇ）、第４ピクセル（Ｂ）を含み、
前記電子チップデバイスは、以下のステップａ、ｂ、ｃ、又はｄの少なくとも１つを実行することにより、少なくとも第１正方形（ＳＲ）、第２正方形（ＳＧ）、第３正方形（Ｓｇ）、又は第４正方形（ＳＢ）のアウトラインであるピクセルを選択して、第１、第２、第３、又は第４マクロピクセルの少なくとも１つを生成するように構成される選択手段（１２２０）を含み、
・ａ）前記第１正方形（ＳＲ）のアウトラインであるｎ×ｎの第１ピクセル（Ｒ）を選択し、それら選択されたｎ×ｎピクセルの値を用いて前記第１マクロピクセル（２０２、ＲＲ）の値を生成するステップ、
・ｂ）前記第２正方形（ＳＧ）のアウトラインであるｎ×ｎの第２ピクセル（Ｇ）を選択し、それら選択されたｎ×ｎピクセルの値を用いて前記第２マクロピクセル（２０２、ＧＧ）の値を生成するステップ、
・ｃ）前記第３正方形（Ｓｇ）のアウトラインであるｎ×ｎの第３ピクセル（ｇ）を選択し、それら選択されたｎ×ｎピクセルの値を用いて前記第３マクロピクセル（２０２、ｇｇ）の値を生成するステップ、
・ｄ）前記第４正方形（ＳＢ）のアウトラインであるｎ×ｎの第４ピクセル（Ｂ）から、０より大きくｎ×ｎ以下であるＭのピクセルを選択し、前記Ｍのピクセルの値を用いて前記第４マクロピクセル（ＢＢ）の値を生成するステップ、
ｎは１より大きい整数値であり、
前記第２正方形（ＳＧ）は前記第１正方形（ＳＲ）に対して４５度回転され水平にシフトされた位置にあり、
前記第３正方形（Ｓｇ）は前記第１正方形（ＳＲ）に対して４５度回転され垂直にシフトされた位置にあり、
前記第４正方形（ＳＢ）は前記第１正方形（ＳＲ）に対して同一方向を向き対角線状にシフトされた位置にあり、
前記第１、第２、及び第３マクロピクセルは各々、前記マクロピクセル（２０２）の値を生成するのに用いたピクセルの相対位置によって決まる光学的中心（２０１、ＣＲ、ＣＧ、Ｃｇ）を有し、
前記第１、第２、及び第３マクロピクセルの値を生成するのに用いたピクセルは、前記第１、第２、及び第３マクロピクセル（２０２）各々の前記光学的中心（２０１）の位置が前記第１、第２、及び第３マクロピクセル各々の内部で同一の位置となるように選択されて、これらの光学的中心が均一グリッド（ＷＧ）を形成し、
前記カメラ（１２１２）又はシステム（１２１０）は、前記電子チップデバイスによって実行されなかったステップａ、ｂ、ｃ、又はｄの任意の残りのステップを与えるべく構成されるカメラ（１２１２）又はシステム（１２１０）。
【請求項１７】
請求項１６の電子チップデバイス（１２１３，１２１５）であって、
前記電子チップデバイスは、
・前記電子チップデバイス（１２１３、１２１５）によって実行されたステップａ、ｂ、ｃ、及びｄのいずれかに対応するマクロピクセルの値と、
・前記電子チップデバイスによって実行されなかったステップａ、ｂ、ｃ、及びｄのいずれかに対応する第１、第２、第３、及び／又は第４いずれかのピクセルの値と
を含む出力画像データを提供するように構成され、
前記出力画像データは、デジタルカラー画像の解像度を低減するように構成されるカメラ（１２１２）、システム（１２１０）、又は外部処理装置（１２１１）が、前記出力画像データ内のマクロピクセルの値と第１、第２、第３、及び／又は第４いずれかのピクセルの値とを容易に識別できるようにフォーマットされている電子チップデバイス。
【請求項１８】
前記出力画像データは、前記電子チップデバイス（１２１３、１２１５）と、カメラ（１２１２）、システム（１２１０）、又は外部処理装置（１２１１）のいずれかとの間でデータを交換するための予め決められたフォーマットに基づいてフォーマットされている、請求項１７の電子チップデバイス（１２１３、１２１５）。
【手続補正２】
【補正対象書類名】明細書
【補正対象項目名】発明の名称
【補正方法】変更
【補正の内容】
【発明の名称】デジタル画像の画像解像度を低減するカラービニング
【手続補正３】
【補正対象書類名】図面
【補正対象項目名】図３
【補正方法】変更
【補正の内容】
【図３】
2009010923.tif 000001